(57)【要約】【課題】専門的な知識及び技術並びに多くの費用及び時間を要することなしに、建物の窓に新たにブラインド装置を容易に設置することができるブラインド取付装置及びこのブラインド取付装置により窓に取付けられたブラインド装置を提供すること。【解決手段】ブラインド取付装置３は、上枠２１の上面２０に載置される上枠部材４３、窓２の下枠２６の下面２５に配置される下枠部材４４、窓２の一対の縦枠２３及び２４の夫々の外側面２２に配置される縦枠部材４５及び４６、連結具４９、連結具５２、連結具５５並びに連結具５８を有して窓枠２７を囲繞した取付枠体５９と、一対の吊下部材６４及び６５と、ブラインド装置４の一対の縦枠７及び８を対応の一対の縦枠部材４５及び４６に固定する固定具６６及び６７とを具備している。【選択図】図９
2014224413.tif 000002
【特許請求の範囲】
【請求項１】
中空部及びこの中空部に連通して長手方向に伸びるスリットを夫々有すると共に当該スリットを建物外に面して窓の上枠の上面に載置される長尺の上枠部材と、窓の下枠の下面に配置される長尺の下枠部材と、窓の一対の縦枠の外側面に配置される長尺の一対の縦枠部材と、上枠部材の長手方向の一方の端部を一対の縦枠部材のうちの一方の縦枠部材の長手方向の上方の端部に連結する第一の連結具と、上枠部材の長手方向の他方の端部を一対の縦枠部材のうちの他方の縦枠部材の長手方向の上方の端部に連結する第二の連結具と、下枠部材の長手方向の一方の端部を一対の縦枠部材のうちの一方の縦枠部材の長手方向の下方の端部に連結する第三の連結具と、下枠部材の長手方向の他方の端部を一対の縦枠部材のうちの他方の縦枠部材の長手方向の下方の端部に連結する第四の連結具と、一方の端部ではブラインド装置の上枠に固定されるようになっている一方、他方の端部では上枠部材のスリットを介して上枠部材の中空部に配されるようになっている吊下部材と、ブラインド装置の一対の縦枠の下部を対応の窓の一対の縦枠に対して固定する固定具とを具備しているブラインド取付装置。
【請求項２】
第一から第四の連結具の夫々は、縦枠部材の対応の端部の夫々を嵌合受容する中空部を有している請求項１に記載のブラインド取付装置。
【請求項３】
第一及び第二の連結具の夫々は、中空部を有した連結具本体と、この連結具本体の中空部及び対応の上枠部材の長手方向の端部の中空部の夫々に受容される連結板とを具備している請求項１又は２に記載のブラインド取付装置。
【請求項４】
連結板は、連結具本体の中空部に受容される部分で当該連結具本体に螺子によって固定されるようになっており、対応の上枠部材の長手方向の端部の中空部に受容される部分で当該対応の上枠部材の長手方向の端部に螺子によって固定されるようになっている請求項３に記載のブラインド取付装置。
【請求項５】
下枠部材は、中空部を有しており、第三及び第四の連結具の夫々は、中空部を有した連結具本体と、この連結具本体の中空部及び対応の下枠部材の長手方向の端部の中空部の夫々に受容される連結板とを具備している請求項１から４のいずれか一項に記載のブラインド取付装置。
【請求項６】
第三及び第四の連結具の夫々の連結板は、第三及び第四の連結具の夫々の連結具本体の中空部に受容される部分で当該連結具本体に螺子によって固定されるようになっており、対応の下枠部材の長手方向の端部の中空部に受容される部分で当該対応の下枠部材の長手方向の端部に螺子によって固定されるようになっている請求項５に記載のブラインド取付装置。
【請求項７】
一対の縦枠部材の夫々は、断面矩形の中空部材からなる請求項１から６のいずれか一項に記載のブラインド取付装置。
【請求項８】
一対の縦枠部材の夫々は、断面正方形又は断面長方形の中空部材からなる請求項１から７のいずれか一項に記載のブラインド取付装置。
【請求項９】
窓の一対の縦枠の夫々は、縦枠本体部と、この縦枠本体部の外側面から突出する鍔部とを具備しており、第一から第四の連結具並びに一対の縦枠部材の夫々は、窓の一対の縦枠の夫々の鍔部と窓が設置される建物の躯体との間に配される凹部を有している請求項１から８のいずれか一項に記載のブラインド取付装置。
【請求項１０】
固定具は、ブラインド装置の一対の縦枠の夫々の下部と対応の第三及び第四の連結具の夫々とに螺子によって固定されるようになっている請求項１から９のいずれか一項に記載のブラインド取付装置。
【請求項１１】
建物の躯体に設置された窓に、請求項１から１０のいずれか一項に記載のブラインド取付装置により取付けられたブラインド装置であって、その上枠及び下枠並びにその縦枠に囲まれた空間に配されている複数枚の長尺の羽根部材を有しているブラインド装置。
【請求項１２】
複数枚の長尺の羽根部材の夫々は、縦枠に対して傾動自在である請求項１１に記載のブラインド取付装置。
【請求項１３】
複数枚の長尺の羽根部材の夫々は、縦枠に対して昇降自在である請求項１１又は１２に記載のブラインド取付装置。
【発明の詳細な説明】
【技術分野】
【０００１】
本発明は、建物の窓にブラインド装置を取付けるに好適なブラインド取付装置及びこのブラインド取付装置により窓に取付けられたブラインド装置に関する。
【背景技術】
【０００２】
遮光、通気、防犯のためにブラインド装置は、多くは、戸建の住宅等の建物のガラス窓等の窓に取付けられて使用される。
【先行技術文献】
【特許文献】
【０００３】
【特許文献１】特開２０１３−２１７４号公報
【特許文献２】特開２００４−２１８３６１号公報
【発明の概要】
【発明が解決しようとする課題】
【０００４】
ところで、斯かるブラインド装置は、建物の施工時に建物の窓周りの躯体に一体的に組み込まれて建物の窓に設置されるが、ブラインド装置が予め設置されていない建物の窓に新たにブラインド装置を設置する場合には、通常、建物の窓周りの躯体に大がかりな取付工事を施しており、この取付工事は、専門的な知識及び技術並びに多くの費用及び時間を要し、建物の所有者が自ら斯かる取付工事を施工することは、極めて困難である。
【０００５】
本発明は、前記諸点に鑑みてなされたものであって、その目的とするところは、専門的な知識及び技術並びに多くの費用及び時間を要することなしに、建物の窓に新たにブラインド装置を容易に設置することができるブラインド取付装置及びこのブラインド取付装置により窓に取付けられたブラインド装置を提供することにある。
【課題を解決するための手段】
【０００６】
本発明のブラインド取付装置は、中空部及びこの中空部に連通して長手方向に伸びるスリットを夫々有すると共に当該スリットを建物外に面して窓の上枠の上面に載置される長尺の上枠部材と、窓の下枠の下面に配置される長尺の下枠部材と、窓の一対の縦枠の外側面に配置される長尺の一対の縦枠部材と、上枠部材の長手方向の一方の端部を一対の縦枠部材のうちの一方の縦枠部材の長手方向の上方の端部に連結する第一の連結具と、上枠部材の長手方向の他方の端部を一対の縦枠部材のうちの他方の縦枠部材の長手方向の上方の端部に連結する第二の連結具と、下枠部材の長手方向の一方の端部を一対の縦枠部材のうちの一方の縦枠部材の長手方向の下方の端部に連結する第三の連結具と、下枠部材の長手方向の他方の端部を一対の縦枠部材のうちの他方の縦枠部材の長手方向の下方の端部に連結する第四の連結具と、一方の端部ではブラインド装置の上枠に固定されるようになっている一方、他方の端部では上枠部材のスリットを介して上枠部材の中空部に配されるようになっている吊下部材と、ブラインド装置の一対の縦枠の下部を対応の窓の一対の縦枠に対して固定する固定具とを具備している。
【０００７】
斯かるブラインド取付装置によれば、例えば、上枠部材を窓の上枠の上面に載置し、下枠部材を窓の下枠の下面に配置し、斯かる上枠部材及び下枠部材に、第一から第四の連結具を介して一対の縦枠部材の夫々を連結して、窓枠の周りに上枠部材、下枠部材及び一対の縦枠部材を具備した取付枠体を設置する一方、ブラインド装置の上枠に固定された吊下部材を、スリットを介して上枠部材の中空部に配し、ブラインド装置を取付枠体に吊下げ、その後、固定具を介してブラインド装置の一対の縦枠を対応の窓の一対の縦枠に対して固定するだけで、専門的な知識及び技術並びに多くの費用及び時間を要することなしに、建物の窓に新たにブラインド装置を容易に設置することができる。
【０００８】
本発明の好ましい例では、第一から第四の連結具の夫々は、縦枠部材の対応の端部の夫々を嵌合受容する中空部を有しており、また、第一及び第二の連結具の夫々は、中空部を有した連結具本体と、この連結具本体の中空部及び対応の上枠部材の長手方向の端部の中空部の夫々に受容される連結板とを具備していてもよく、この場合、連結板は、連結具本体の中空部に受容される部分で当該連結具本体に螺子によって固定されるようになっており、対応の上枠部材の長手方向の端部の中空部に受容される部分で当該対応の上枠部材の長手方向の端部に螺子によって固定されるようになっているとよく、また、下枠部材は、上枠部材と同様に、中空部を有していてもよく、この場合も、第三及び第四の連結具の夫々は、中空部を有した連結具本体と、この連結具本体の中空部及び対応の下枠部材の長手方向の端部の中空部の夫々に受容される連結板とを具備していてもよく、第三及び第四の連結具の夫々の連結板は、第三及び第四の連結具の夫々の連結具本体の中空部に受容される部分で当該連結具本体に螺子によって固定されるようになっており、対応の下枠部材の長手方向の端部の中空部に受容される部分で当該対応の下枠部材の長手方向の端部に螺子によって固定されるようになっていてもよい。
【０００９】
斯かる例のブラインド取付装置によれば、差し込み方式で第一及び第二の連結具を介して一対の縦枠部材と上枠部材とを連結できる結果、特別な工具を要しないでブラインド装置を更に短時間で簡単に窓に組み付けることができる。
【００１０】
本発明では、下枠部材もまた、中空部を有していてもよく、この場合、第三及び第四の連結具の夫々もまた、上記の好ましい例の第一及び第二の連結具の夫々と同様に、中空部を有した連結具本体と、この連結具本体の中空部及び対応の下枠部材の長手方向の端部の中空部の夫々に受容される下連結板とを具備していてもよく、下連結板は、連結具本体の中空部に受容される部分で当該連結具本体に螺子によって固定されるようになっており、対応の下枠部材の長手方向の端部の中空部に受容される部分で当該対応の下枠部材の長手方向の端部に螺子によって固定されるようになっているとよい。
【００１１】
このように下枠部材でも、差し込み方式で第三及び第四の連結具を介して一対の縦枠部材と下枠部材とを連結できるようにすると、ブラインド装置を上記と相俟って特別な工具を要しないで更に短時間で簡単に窓に組み付けることができる。
【００１２】
また、本発明の好ましい例では、一対の縦枠部材の夫々は、断面矩形、具体的には断面正方形又は断面長方形の中空部材からなり、窓の一対の縦枠の夫々は、縦枠本体部と、縦枠本体部の外側面から突出する鍔部とを具備しており、第一から第四の連結具並びに一対の縦枠部材の夫々は、窓の一対の縦枠の夫々の鍔部と窓が設置される建物の躯体との間に配される凹部を有している。
【００１３】
一対の縦枠部材の夫々が中空部材からなる例では、軽量化を図り得て、組み付け作業の困難性を回避できる上に、第一から第四の連結具並びに一対の縦枠部材の夫々を鍔部と躯体との間に配する場合には、螺子等を用いないでも、第一から第四の連結具並びに一対の縦枠部材の夫々を躯体に固定できる。
【００１４】
本発明の好ましい他の例では、固定具は、ブラインド装置の一対の縦枠の夫々の下部と対応の第三及び第四の連結具の夫々とに螺子によって固定されるようになっており、これにより、固定具は、ブラインド装置の一対の縦枠の下部を対応の窓の一対の縦枠に対して固定するようになっている。
【００１５】
本発明における部材、特に、上枠部材、下枠部材、一対の縦枠部材は、夫々アルミニウム又はアルミニウム合金の一体成型品であると好ましく、また、これらと第一から第四の連結具とは、アルミニウム又はアルミニウム合金の一体成型品であってもよいが、硬質合成樹脂製であってもよく、吊下部材及び固定具は、アルミニウム製若しくはアルミニウム合金製又は硬質合成樹脂製であってもよいが、鋼製であってもよく、吊下部材は、上枠部材と同様に、一個の長尺体であってもよいが、二個以上であってもよい。
【００１６】
本発明のブラインド装置は、建物の躯体に設置された窓に、上記のいずれかの態様のブラインド取付装置により取付けられており、その上枠及び下枠並びにその縦枠に囲まれた空間に配されている複数枚の長尺の羽根部材を有している。
【００１７】
斯かる本発明のブラインド装置において、複数枚の長尺の羽根部材の夫々は、縦枠に固定されていてもよいが、縦枠に対して傾動自在であっても、縦枠に対して昇降自在であってもよい。
【発明の効果】
【００１８】
本発明によれば、専門的な知識及び技術並びに多くの費用及び時間を要することなしに、建物の窓に新たにブラインド装置を容易に設置することができるブラインド取付装置及びこのブラインド取付装置により窓に取付けられたブラインド装置を提供することができる。
【図面の簡単な説明】
【００１９】
【図１】図１は、本発明のブラインド取付装置によって窓に取付けられたブラインド装置の実施の形態の好ましい例の説明斜視図である。
【図２】図２は、図１に示す例の一部の詳細説明図である。
【図３】図３は、図１に示す例の一部の詳細説明図である。
【図４】図４は、図１に示す例の窓の説明斜視図である。
【図５】図５は、図１に示す例のブラインド装置の説明斜視図である。
【図６】図６は、図１に示す例のブラインド装置の動作説明斜視図である。
【図７】図７は、図１に示す例のブラインド取付装置の分解説明斜視図である。
【図８】図８は、図１に示す例のブラインド取付装置の窓への装着の説明斜視図である。
【図９】図９は、図１に示す例のブラインド装置の窓へのブラインド取付装置を介しての取付の説明斜視図である。
【発明を実施するための形態】
【００２０】
次に本発明の実施の形態を、図に示す好ましい例に基づいて更に詳細に説明する。なお、本発明はこれら例に何等限定されないのである。
【００２１】
図１から図７において、本例の建物の躯体１に設置された窓２にブラインド取付装置３により取付けられたブラインド装置４は、上枠５及び下枠６並びに縦枠７及び８からなる枠体９と、上枠５及び下枠６並びに縦枠７及び８に囲まれた空間１０に配されていると共に縦枠７及び８に対して傾動及び昇降自在である複数枚の長尺の羽根部材１１と、空間１０において縦枠７及び８に対して羽根部材１１を昇降、傾動させると共に上枠５から垂れ下がった玉チェーン１２の手動操作による走行で作動される昇降、傾動機構（図示せず）を有しており、縦枠７及び８は、夫々の外側面１３側の下部に螺子孔１４を有している。
【００２２】
窓２は、特に図４に示すように、上面２０を有した上枠（上サッシ）２１、外側面２２を夫々有して互いに同様に形成された一対の縦枠（横サッシ）２３及び２４並びに下面２５を有した下枠（下サッシ）２６とからなる窓枠２７（窓サッシ）と、窓枠２７内に配された引き違いガラス障子２８及び２９を具備しており、窓枠２７が部分的に建物の壁３１から建物外３２に突出して建物の躯体１に埋め込まれて建物外３２と建物の室３３とを区分して建物の躯体１に設置されている。
【００２３】
窓２の一対の縦枠２３及び２４の夫々は、外側面２２を有した縦枠本体部３５と、縦枠本体部３５の外側面２２から横方向に突出する鍔部３６とを具備しており、各鍔部３６と躯体１との間には、隙間３７が形成されている。
【００２４】
ブラインド取付装置３は、特に図７に示すように、中空部４１及び中空部４１に連通して長手方向に伸びるスリット４２を夫々有すると共に当該スリット４２を建物外３２に面して窓２の上枠２１の上面２０に載置される長尺の上枠部材４３、窓２の下枠２６の下面２５に配置されると共に上枠部材４３と同様に形成された長尺の下枠部材４４、窓２の一対の縦枠２３及び２４の夫々の外側面２２に配置されると共に互いに同様に形成された長尺の一対の縦枠部材４５及び４６、上枠部材４３の長手方向の一方の端部４７を縦枠部材４５の長手方向の上方の端部４８に連結する連結具４９、上枠部材４３の長手方向の他方の端部５０を縦枠部材４６の長手方向の上方の端部５１に連結する連結具５２、下枠部材４４の長手方向の一方の端部５３を縦枠部材４５の長手方向の下方の端部５４に連結する連結具５５並びに下枠部材４４の長手方向の他方の端部５６を縦枠部材４６の長手方向の下方の端部５７に連結する連結具５８を有して窓枠２７を囲繞した取付枠体５９と、一方の端部６１ではブラインド装置４の上枠５に螺子６２で固定されるようになっている一方、他方の端部６３では上枠部材４３のスリット４２を介して中空部４１に配されるようになっている一対の吊下部材６４及び６５（図２及び図９参照）と、ブラインド装置４の一対の縦枠７及び８を対応の一対の縦枠部材４５及び４６に固定する固定具６６及び６７とを具備している。
【００２５】
上枠部材４３及び下枠部材４４は、互いに同一に形成されており、一対の縦枠部材４５及び４６も、互いに同一に形成されており、更に、連結具４９及び５８も、また、連結具５２及び５５も、互いに同一に形成されているために、以下、上枠部材４３、縦枠部材４５及び４６並びに連結具４９及び５２について詳細に説明する。
【００２６】
上枠部材４３は、その長手方向の端部４７及び５０（下枠部材４４では端部５３及び５６）に螺子孔７１及び７２を有しており、断面矩形、本例では断面長方形の中空部材からなる縦枠部材４５は、その長手方向の端部４８及び５４（縦枠部材４６では端部５１及び５７）に螺子孔７３及び７４を有していると共に窓２の縦枠２３（縦枠部材４６では縦枠２４）の鍔部３６と窓２が設置される建物の躯体１との間の空間３７に配される長手方向に伸びた凹部７５を有しており、連結具４９は、中空部８１、螺子孔８２、８３及び８４を有した中空の鉤形の連結具本体８５と、一方では、連結具本体８５の中空部８１に、他方では、上枠部材４３の長手方向の端部４７（連結具５８では下枠部材４４の端部５３）の中空部４１に夫々挿入されて当該中空部４１に受容されると共に螺子孔８６及び８７を有している連結板８８とを具備しており、連結具本体８５は、空間３７に嵌合されると共に凹部７５に対応した長手方向に伸びる凹部８９を有しており、長方形の板片からなる連結板８８は、図７に示すように、螺子孔８２及び８６に螺入された螺子９１を介してその一端で連結具本体８５に固定されており、連結具５２は、中空部８１、螺子孔８２、８３及び８４を有した中空の鉤形の連結具本体８５と、一端では、連結具本体８５の中空部８１に、他端では、上枠部材４３の長手方向の端部５０（連結具５５では下枠部材４４の端部５６）の中空部４１に夫々挿入されて当該中空部４１に受容されると共に螺子孔８６及び８７を有している連結板８８とを具備しており、連結具５２の連結具本体８５も、空間３７に嵌合されると共に凹部７５に対応した長手方向に伸びる凹部８９を有しており、連結具５２の長方形の板片からなる連結板８８も、図７に示すように、螺子孔８２及び８６に螺入された螺子９１を介してその一端で連結具５２の連結具本体８５に固定されている。
【００２７】
取付枠体５９において、連結具４９は、上枠部材４３の端部４７の中空部４１に挿入されて当該中空部４１に受容された連結具４９の連結板８８の他端が螺子９２の螺子孔８７及び７１への螺入で上枠部材４３の端部４７に固定されることにより、上枠部材４３の端部４７に連結されており、連結具４９の連結具本体８５の中空部８１に挿入されて当該中空部８１に受容された縦枠部材４５の端部４８が螺子９３の螺子孔８３及び７３への螺入で連結具４９の連結具本体８５に固定されることにより、当該縦枠部材４５の端部４８に連結されており、而して、連結具４９は、上枠部材４３の端部４７と縦枠部材４５の端部４８とを連結しており、連結具５２は、上枠部材４３の端部５０の中空部４１に挿入されて当該中空部４１に受容された連結具５２の連結板８８の他端が螺子９４の螺子孔８７及び７２への螺入で上枠部材４３の端部５０に固定されることにより、上枠部材４３の端部５０に連結されており、連結具５２の連結具本体８５の中空部８１に挿入されて当該中空部８１に受容された縦枠部材４６の端部５７が螺子９５の螺子孔８３及び７４への螺入で連結具５２の連結具本体８５に固定されることにより、当該縦枠部材４６の端部５７に連結されており、而して、連結具５２は、上枠部材４３の端部５０と縦枠部材４６の端部５７とを連結しており、連結具５５は、下枠部材４４の端部５６の中空部４１に挿入されて当該中空部４１に受容された連結具５５の連結板８８の他端が螺子９６の螺子孔８７及び７２への螺入で下枠部材４４の端部５６に固定されることにより、下枠部材４４の端部５６に連結されており、連結具５２の連結具本体８５の中空部８１に挿入されて当該中空部８１に受容された縦枠部材４５の端部５４が螺子９７の螺子孔８３及び７４への螺入で連結具５５の連結具本体８５に固定されることにより、当該縦枠部材４５の端部５４に連結されており、而して、連結具５５は、下枠部材４４の端部５６と縦枠部材４５の端部５４とを連結しており、連結具５８は、下枠部材４４の端部５３の中空部４１に挿入されて当該中空部４１に受容された連結具５８の連結板８８の他端が螺子９８の螺子孔８７及び７１への螺入で下枠部材４４の端部５３に固定されることにより、下枠部材４４の端部５３に連結されており、連結具５８の連結具本体８５の中空部８１に挿入されて当該中空部８１に受容された縦枠部材４６の端部５１が螺子９９の螺子孔８３及び７３への螺入で連結具５８の連結具本体８５に固定されることにより、当該縦枠部材４６の端部５１に連結されており、而して、連結具５８は、下枠部材４４の端部５３と縦枠部材４６の端部５１とを連結している。
【００２８】
固定具６６及び６７は、互いに同一に形成されており、夫々長方形の板片からなって螺子孔１０１及び１０２を有しており、螺子孔１０１を有するその一端部が螺子１０３の螺子孔１０１及び１４への螺入で縦枠７及び８の外側面１３の下部に固着されており、螺子孔１０２を有するその他端部が螺子１０４の螺子孔１０２及び８４への螺入で連結具５５及び５８の夫々の連結具本体８５に固着されており、これにより、縦枠７及び８の下部を連結具５５及び５８の夫々に連結、固定して、縦枠７及び８の下部を対応の窓２の一対の縦枠２３及び２４に対して固定している。
【００２９】
取付枠体５９は、図８に示すように、上枠部材４３を窓２の上枠２１の上面２０に載置し、下枠部材４４を窓２の下枠２６の下面２５に仮止め配置した後、連結具４９及び５５の中空部８１に挿入された連結板８８の一端が螺子９１により連結具４９及び５５に夫々固定されていると共に連結具４９及び５５の中空部８１に挿入された縦枠部材４５の端部４８及び５４が螺子９３及び９７により連結具４９及び５５に夫々固定されている組み合わせ体１１１と、連結具５２及び５８の中空部８１に挿入された連結板８８の一端が螺子９１により連結具５２及び５８に夫々固定されていると共に連結具５２及び５８の中空部８１に挿入された縦枠部材４６の端部５７及び５１が螺子９５及び９９により連結具５２及び５８に夫々固定されている組み合わせ体１１２とを準備し、組み合わせ体１１１における連結具４９及び５５の凹部８９並びに縦枠部材４５の凹部７５が縦枠２３の鍔部３６と躯体１との間の隙間３７に配されるようにして連結具４９及び５５の連結板８８の他端を上枠部材４３の端部４７及び下枠部材４４の端部５６の中空部４１に夫々挿入し、当該連結具４９及び５５の連結板８８の他端を螺子９２及び９６で上枠部材４３の端部４７及び下枠部材４４の端部５６に固定する一方、組み合わせ体１１２における連結具５２及び５８の凹部８９並びに縦枠部材４６の凹部７５が縦枠２４の鍔部３６と躯体１との間の隙間３７に配されるようにして連結具５２及び５８の連結板８８の他端を上枠部材４３の端部５０及び下枠部材４４の端部５３の中空部４１に夫々挿入し、当該連結具５２及び５８の連結板８８の他端を螺子９４及び９８で上枠部材４３の端部５０及び下枠部材４４の端部５３に固定して、窓枠２７を囲繞して配置されており、各連結具本体８５に螺合された螺子９３、９５、９７及び９９は、その先端が壁３１に強く押し付けられて、取付枠体５９の隙間３７でのガタを防止している。
【００３０】
ブラインド装置４の昇降、傾動機構は、玉チェーン１２の手動操作による走行で、例えば、図１及び図５に示すように、羽根部材１１を縦枠７及び８に対して縦枠７及び８に設けられたスリット１５に案内させて昇降させるようになっており、そして、図６に示すように、羽根部材１１を縦枠７及び８に対して傾動させるようになっており、斯かる昇降、傾動機構は、公知であるので、その詳細な説明を省く。
【００３１】
斯かるブラインド装置４は、図９に示すように、その上枠５に吊下部材６４及び６５が螺子６２で固定された後に、窓枠２７を囲繞して配置された取付枠体５９の上枠部材４３のスリット４２を介して吊下部材６４及び６５の各端部６３が中空部４１に配されて、取付枠体５９の上枠部材４３に吊下され、この吊下後、固定具６６及び６７によりその縦枠７及び８の下部が連結具５５及び５８の夫々に連結、固定されて、窓２に取付けられる。
【００３２】
以上のブラインド取付装置３によれば、例えば、上枠部材４３を窓２の上枠２１の上面２０に載置し、下枠部材４４を窓２の下枠２６の下面２５に配置し、斯かる上枠部材４３及び下枠部材４４に、連結具４９、５２、５５及び５８を介して一対の縦枠部材４５及び４６の夫々を連結して、窓枠２７の周りに上枠部材４３、下枠部材４４及び一対の縦枠部材４５及び４６を具備した取付枠体５９を設置する一方、ブラインド装置４の上枠５に固定された吊下部材６４及び６５を、スリット４２を介して上枠部材４３の中空部４１に配し、ブラインド装置４を取付枠体５９に吊下げ、その後、固定具６６及び６７を介してブラインド装置４の一対の縦枠７及び８を取付枠体５９に固定するだけで、専門的な知識及び技術並びに多くの費用及び時間を要することなしに、建物の窓２に新たにブラインド装置４を容易に設置することができる。
【００３３】
また、ブラインド取付装置３によれば、差し込み方式で連結具４９、５２，５５及び５８を介して一対の縦枠部材４５及び４６と上枠部材４３及び下枠部材４４とを連結できる結果、特別な工具を要しないでブラインド装置４を更に短時間で簡単に既存の窓２に特別な加工を施すことなしに組み付けることができる。
【００３４】
上記のブラインド取付装置３では、連結具４９の連結具本体８５の中空部８１に縦枠部材４５の端部４８を、連結具５２の連結具本体８５の中空部８１に縦枠部材４６の端部５７を、連結具５５の連結具本体８５の中空部８１に縦枠部材４５の端部５４を、そして、連結具５８の連結具本体８５の中空部８１に縦枠部材４６の端部５１を夫々差し込んで、夫々を連結したが、これに代えて、連結板８８と同等の連結板を用いて夫々を連結してもよく、また、連結具４９の連結具本体８５を上枠部材４３の端部４７に、連結具５２の連結具本体８５を上枠部材４３の端部５０に、連結具５５の連結具本体８５を下枠部材４４の端部５６に、そして、連結具５８の連結具本体８５を下枠部材４４の端部５３に夫々連結板８８を介して連結したが、斯かる連結板８８を用いないで、いずれか一方をいずれか他方の中空部８１に差し込んで、夫々を連結してもよい。
【符号の説明】
【００３５】
１  躯体
２  窓
３  ブラインド取付装置
４  ブラインド装置
５  上枠
６  下枠
７，８  縦枠
９  枠体
１０  空間
１１  羽根部材
１２  玉チェーン
１４  螺子孔
３２  建物外
４１  中空部
４２  スリット
４３  上枠部材
４４  下枠部材
４５、４６  縦枠部材
４７、４８、５０、５１、５３、５４、５６、５７、６１、６３  端部
４９、５２、５５、５８  連結具
５９  取付枠体
６２  螺子
６４，６５  吊下部材
６６、６７  固定具
【図１】
2014224413.tif 000003
【図２】
2014224413.tif 000004
【図３】
2014224413.tif 000005
【図４】
2014224413.tif 000006
【図５】
2014224413.tif 000007
【図６】
2014224413.tif 000008
【図７】
2014224413.tif 000009
【図８】
2014224413.tif 000010
【図９】
2014224413.tif 000011